(57)【特許請求の範囲】
【請求項１】
遊技盤内で展開されるパチンコゲームの入賞に対して払出し個数の異なる複数種類の賞球を払出し得る一方、球貸し金額に定められた設定数Ｎ個の遊技用の貸し球を払出し得るよう構成されて、縦向きに設置される遊技機において、
機裏側の貯留球供給部(13)からの貯留球を賞球分と貸し球分とに区分して夫々整列状に流下し得る第１供給経路(15A)および第２供給経路(15B)を並設する一方、この第１・第２供給経路(15A,15B)に対する連絡部位に着脱可能に設置される１つのケース体(28)内に、賞球用、貸し球用の各球払出し信号に基いて単独で払出し作動を行ない得る賞球用の第１球払出し部(32)と、貸し球用の第２球払出し部(33)とを並列状に配設し、
前記ケース体(28)では、前記第１供給経路(15A)と第２供給経路(15B)とに夫々独立して連通可能な第１球通路(15a)と第２球通路(15b)とを区分形成し、
前記第１球払出し部(32)は、前記ケース体(28)内に固定された１本の第１支軸(49)に対し単独回転可能に支持され、外周に形成した複数の球受け部(54)を前記ケース体(28)の第１球通路(15a)内に臨ませて１球ずつ球送り回転して排出し得る第１球送り体(50)と、賞球用の球払出し信号に基いて作動制御される第１電磁ソレノイド(52)と、第１球送り体(50)の球送り回転毎により排出された賞球を１個ずつカウント検出し得る第１検出手段(37b)と、前記第１電磁ソレノイド(52)の励磁に伴い第１球送り体(50)を回転停止する拘束位置から回転を許容する解放位置に切換え作動される一方、該第１球送り体(50)の球送り回転により排出された１個の賞球を第１検出手段(37b)が検出したことを条件に、第１電磁ソレノイド(52)の消磁に伴い第１球送り体(50)の回転を許容する解放位置から回転停止する拘束位置へ切換え作動される第１規制部材(51)とを備えて構成し、
前記第２球払出し部(33)は、前記ケース体(28)内に固定された前記第１支軸(49)に対し単独回転可能に支持され、外周に形成した複数の球受け部(69)を前記ケース体(28)の第２球通路(15b)に臨ませて１球ずつの球送り回転により前記設定数Ｎ個より少ないｎ個を１回転当たりに排出し得る条件でＮ／ｎ回転することで設定数Ｎ個を排出し得る第２球送り体(58)と、貸し球用の球払出し信号に基いて作動制御される第２電磁ソレノイド(60)と、前記第２球送り体(58)の球送り回転により排出された貸球を検出し得る第２検出手段(39)と、前記第２電磁ソレノイド(60)の励磁に伴い第２球送り体(58)を回転停止する拘束位置から回転を許容する解放位置に切換え作動される一方、該第２球送り体(50)の球送り回転により連続して排出された貸し球を第２検出手段(39)が検出したことを条件に、第２電磁ソレノイド(60)の消磁に伴い第２球送り体(58)の回転を許容する解放位置から回転停止する拘束位置へ向けて切換え作動される第２規制部材(59)と、前記第２球送り体(58)と一体的に回転可能に設けられて前記第２規制部材(59)に係脱可能に係合し、該第２規制部材(59)との係合により第２球送り体(58)を回転停止する一方で、該第２規制部材(59)から離隔することにより第２球送り体(58)の回転を許容する回転規制手段(62)と、前記第２球送り体(58)の回転に連動回転し得るよう前記ケース(28)内に固定された第２支軸(63)に対し回転可能に支持され、前記第２球送り体(58)がＮ／ｎ回転することで１回転する回転規制部材(65)とを備えて構成し、
前記回転規制部材(65)には、前記第２規制部材(59)に当接係合して前記第２球送り体(58)が回転可能な解放位置に前記第２規制部材(59)を干渉拘束する拘束円弧縁(74)と、前記第２球送り体(58)がＮ／ｎ回転した時点で前記第２規制部材(59)を拘束円弧縁(74)による干渉拘束から解放して前記回転規制手段(62)と係合可能な拘束位置への変移を許容する直線切欠(75)とを外周面に形成して、
前記第２電磁ソレノイド(60)の励磁作動により前記第２規制部材(59)が拘束位置から解放位置へ変移して前記回転規制手段(62)から離隔した時点で前記第２球送り体(58)が回転して貸し球を連続して排出する一方、排出された貸し球を前記第２検出手段(39)が検出したことを条件として前記第２電磁ソレノイド(60)を消磁した以後では、前記回転規制部材(65)が第２規制部材(59)を解放位置に干渉拘束したまま前記第２球送り体(58)がＮ／ｎ回転した時点で、第２規制部材(59)が拘束位置に復帰して前記回転規制手段(62)に係止することにより設定数Ｎ個の貸し球を排出し終えるよう構成した
ことを特徴とするパチンコ遊技機における球払出し装置。
【請求項２】
前記第２球送り体(58)は、前記球受け部(69)が複数の区画爪部(68)により区画されると共に、第２球送り体(58)の上方位置には、バランス用のウエイト(66)を有すると共に前記区画爪部(68)に係脱し得る係合凸部(77)を先端部に形成した回転制動部材(67)が回転可能に支持され、該回転制動部材(67)は、前記ウエイト(66)の重みにより常には前記係合凸部(77)が前記第２球送り体(58)の区画爪部(68)および球受け部(69)に対して当接係合するように回動付勢されている請求項１に記載のパチンコ遊技機における球払出し装置。
【発明の詳細な説明】
【０００１】
【発明の属する技術分野】
この発明は、パチンコ遊技機における球払出し装置に係り、更に詳細には、縦向きの遊技盤内でパチンコゲームを展開し得るパチンコ遊技機において、裏側の貯留球を遊技用の貸し球とゲーム入賞用の賞球分とに区分して払出し得るようにした球払出し装置に関するものである。
【０００２】
【従来の技術】
パチンコ機やアレンジボール機に代表される近年のこの種の遊技機においては、機裏側の球貯留供給部に相当量貯留されたパチンコ球(貯留球ともいう)の払出しとして、賞球と貸し球との区分、つまり遊技盤内で展開されるパチンコゲームで成立した入賞(例えばセーフ球の発生、図柄組合せの成立)に対して所定数(１〜１５個)の賞球を払出し得る一方、ゲームに使用すべき貸し球を球貸し金額に対して設定数毎(例えば１００円分毎に対して２５個)に払出し得るタイプのものが多く実施されている。そして、このようなタイプの遊技機に実施(装備)されている球払出しの技術・手段については、目下のところ何れのメーカの実施機においても、電気・電子的制御形態の１基の球払出し装置が採用され、この装置の作動制御区分(球払出し信号区分による賞球払出しと貸し球払出し)により、賞球と貸し球とを区分して払出しを行なっている。
【０００３】
【発明が解決しようとする課題】
ところで、前述したようなタイプの遊技機に実施(装備)されている払出し装置では、何分にも１基兼用型で賞球と貸し球との併用払出し形態であるために、双方の球を別々同時に払出すことができない欠点があった。すなわち、遊技者自身の必要時による球貸し操作に基く貸し球の払出しと、ゲーム展開で成立する入賞に対する賞球の払出しとが、個々の払出し指令(信号)の入力を前提にして同時に行なうことができなかった。このため現状では払出しに優先順位が定められ、常には貸し球の払出しを優先し、この払出し終了後に賞球の払出しを行なわなければならなかった。このような払出し規制条件のために、実情として、貸し球の払出し中は賞球の払出しができず、逆に賞球の払出し中に貸し球の払出しを要求すれば、当該回の賞球払出し終了後に貸し球の払出しが行われ、それ以後に賞球の払出しが再開されるようになっている。従ってこのような払出し形態では、賞球と貸し球との区分払出しが明確に把持できなくなり、遊技者から不満の声がでる問題が指摘されていた。
【０００４】
【発明の目的】
本発明は、前述した課題を好適に解決すべく新規に提案されたものであって、取扱いが容易で手早く簡単に着脱し得ると共に、貸し球用と賞球用との各球払出し信号(指令)に基く独自の払出し作動を別々に行なって、貯留球を遊技用の貸し球分とゲーム入賞用の賞球分とに明確に払出し得るようにした、小型で安価のパチンコ遊技機における球払出し装置を提供することを目的とする。
【０００５】
【課題を解決するための手段】
前記課題を克服し、所期の目的を好適に達成するため、本発明に係るパチンコ遊技機における球払出し装置は、
遊技盤内で展開されるパチンコゲームの入賞に対して払出し個数の異なる複数種類の賞球を払出し得る一方、球貸し金額に定められた設定数Ｎ個の遊技用の貸し球を払出し得るよう構成されて、縦向きに設置される遊技機において、
機裏側の貯留球供給部からの貯留球を賞球分と貸し球分とに区分して夫々整列状に流下し得る第１供給経路および第２供給経路を並設する一方、この第１・第２供給経路に対する連絡部位に着脱可能に設置される１つのケース体内に、賞球用、貸し球用の各球払出し信号に基いて単独で払出し作動を行ない得る賞球用の第１球払出し部と、貸し球用の第２球払出し部とを並列状に配設し、
前記ケース体では、前記第１供給経路と第２供給経路とに夫々独立して連通可能な第１球通路と第２球通路とを区分形成し、
前記第１球払出し部は、前記ケース体内に固定された１本の第１支軸に対し単独回転可能に支持され、外周に形成した複数の球受け部を前記ケース体の第１球通路内に臨ませて１球ずつ球送り回転して排出し得る第１球送り体と、賞球用の球払出し信号に基いて作動制御される第１電磁ソレノイドと、第１球送り体の球送り回転毎により排出された賞球を１個ずつカウント検出し得る第１検出手段と、前記第１電磁ソレノイドの励磁に伴い第１球送り体を回転停止する拘束位置から回転を許容する解放位置に切換え作動される一方、該第１球送り体の球送り回転により排出された１個の賞球を第１検出手段が検出したことを条件に、第１電磁ソレノイドの消磁に伴い第１球送り体の回転を許容する解放位置から回転停止する拘束位置へ切換え作動される第１規制部材とを備えて構成し、
前記第２球払出し部は、前記ケース体内に固定された前記第１支軸に対し単独回転可能に支持され、外周に形成した複数の球受け部を前記ケース体の第２球通路に臨ませて１球ずつの球送り回転により前記設定数Ｎ個より少ないｎ個を１回転当たりに排出し得る条件でＮ／ｎ回転することで設定数Ｎ個を排出し得る第２球送り体と、貸し球用の球払出し信号に基いて作動制御される第２電磁ソレノイドと、前記第２球送り体の球送り回転により排出された貸球を検出し得る第２検出手段と、前記第２電磁ソレノイドの励磁に伴い第２球送り体を回転停止する拘束位置から回転を許容する解放位置に切換え作動される一方、該第２球送り体の球送り回転により連続して排出された貸し球を第２検出手段が検出したことを条件に、第２電磁ソレノイドの消磁に伴い第１球送り体の回転を許容する解放位置から回転停止する拘束位置へ向けて切換え作動される第２規制部材と、前記第２球送り体と一体的に回転可能に設けられて前記第２規制部材に係脱可能に係合し、該第２規制部材との係合により第２球送り体を回転停止する一方で、該第２規制部材から離隔することにより第２球送り体の回転を許容する回転規制手段と、前記第２球送り体の回転に連動回転し得るよう前記ケース内に固定された第２支軸に対し回転可能に支持され、前記第２球送り体がＮ／ｎ回転することで１回転する回転規制部材とを備えて構成し、
前記回転規制部材には、前記第２規制部材に当接係合して前記第２球送り体が回転可能な解放位置に前記第２規制部材を干渉拘束する拘束円弧縁と、前記第２球送り体がＮ／ｎ回転した時点で前記第２規制部材を拘束円弧縁による干渉拘束から解放して前記回転規制手段と係合可能な拘束位置への変移を許容する直線切欠とを外周面に形成して、
前記第２電磁ソレノイドの励磁作動により前記第２規制部材が拘束位置から解放位置へ変移して前記回転規制手段から離隔した時点で前記第２球送り体が回転して貸し球を連続して排出する一方、排出された貸し球を前記第２検出手段が検出したことを条件として前記第２電磁ソレノイドを消磁した以後では、前記回転規制部材が第２規制部材を解放位置に干渉拘束したまま前記第２球送り体がＮ／ｎ回転した時点で、第２規制部材が拘束位置に復帰して前記回転規制手段に係止することにより設定数Ｎ個の貸し球を排出し終えるよう構成したことを特徴とする。
【０００６】
【作用】
賞球払出し用の第１球払出し部では、第１検出手段が球有り検出をしているもとで、第１電磁ソレノイドが励磁制御されることに伴って第１規制部材による第１球送り体への規制が解除される。これにより第１球送り体は、前記第１検出手段で球有り検出された貯留球を含む上流側の球の圧力(重み)を球受け部で受けながら回転し、当該貯留球を第１供給経路の下流側へ排出する。そして、当該貯留球の排出を前記第１検出手段が検出すると、第１電磁ソレノイドが消磁されることに伴って第１規制部材による第１球送り体への規制がなされ、該第１球送り体の回転が停止する。以降同様にして、前記第１検出手段のカウント検出に伴う第１電磁ソレノイドの励磁制御と消磁制御とが賞球払出し分に対する所定回数繰返されることにより、払出し個数の異なる複数種類賞球が払出される。
【０００７】
また、貸し球払出し用の第２球払出し部では、まず第２電磁ソレノイドが励磁されることに伴い、第２規制部材による第２球送り体への規制が解除される。これにより第２球送り体は、第２供給経路内の貯留球の球圧を球受け部で受けながら回転し、各球受け部に受けた貯留球を第２供給経路の下流側へ連続して排出する。そして、第２球送り体が設定数Ｎ個の貯留球を排出するまで、第２規制部材による該第２球送り体の規制が回転規制部材の干渉により阻止される。そして、第２球送り体がＮ個の貯留球を排出する適宜タイミングで回転規制部材による干渉が解除され、第２規制部材による第２球送り体への規制がなされて該第２球送り体の回転が停止する。
【０００８】
なお、第１球払出し部は賞球用の球払出し信号に基いて払出し作動され、第２球払出し部は貸し球用の球払出し信号に基いて払出し作動されるから、賞球払出し作動と貸し球払出し作動が単独で行なわれる。従って貯留球が、遊技用の貸し球分とゲーム入賞用の賞球分とに明確に区分排出される。そして、これら第１球払出し部と第２球払出し部とはケース体内に配設されて、小型化されたケース体単位で遊技機裏側の第１および第２供給経路に対する連絡部位に着脱可能に設置され、その取扱いが簡単かつ容易であると共に安価に製作される。
【０００９】
【発明の実施の形態】
次に、本発明に係るパチンコ遊技機における球払出し装置について、好適な実施形態を挙げて添付図面を参照しながら詳細に説明する。なお本実施形態では、遊技球を1個ずつ遊技盤内に打出してパチンコゲーム(アウト球とセーフ球とに区分)を展開するタイプにあって、機裏側の貯留球を、入賞成立(セーフ球の発生)に対する賞球と、球貸しシステムを利用した遊技球用の貸し球とに区分排出して球皿側へ供給し得るパチンコ機の場合を主に例示し、このパチンコ機に球払出し装置を取着した場合につき説明する。
【００１０】
本実施形態のパチンコ機は、その基本的構成の概要として、図１および図２に略示するように、機体の外郭をなす外枠１の開口前面側に、各種の遊技用構成部材をセットする縦長方形の前枠２が開閉および着脱可能に組付けられており、この前枠２の前面側に遊技盤３を透視保護するための窓枠４と上球皿５とが共に横開き形態で開閉可能に組付けられ、また前枠２の下部に下球皿６および打球発射装置７等が装備されている。なお、外枠１の一側縁には球貸しシステムに利用されるカードユニット８が装備されている。
【００１１】
一方、前記前枠２の裏側には各種の球経路および処理部等を備えた機構セット盤９が装着され、この機構セット盤９では、遊技盤点検用の窓口１０の周囲において、アウト球用の排出路１１とセーフ球用の処理路１２が区画形成されている。そして、貯留球供給部としての球タンク１３から整流樋１４を介して貯留球が流下供給される球供給路１５の下流端に後述する球払出し装置１６がケース単位の取扱いで着脱可能にビス等で取着セットされ、この球払出し装置１６からの賞球または貸し球として払出された貯留球が、従来と同様に排出経路(図示しない)を介して供給口１７から前記上球皿５へ供給されるようになっている。なお、前記整流樋１４については、図示しないが、１列の賞球路と１列の貸し球路とを区画並列したタイプ、２列の賞球路と１列または２列の貸し球路とを区画並列したタイプとが提案され、後者の２列タイプでは、整流樋１４から前記球供給路１５に向けて賞球と貸し球とを夫々１列化する球送り整列部１８が付設されることが望ましい。
【００１２】
前述した機構セット盤９におけるその余の構成としては、整流樋１４の所定位置には貯留球を貸し球として払出す場合に設定数を予じめ検出する検出スイッチ１９(２５個検出スイッチともいう)が設置されている。一方、前記処理路１２の下流端にはセーフ球検出処理装置２０が着脱可能にセットされ、セーフ球を１個ずつ停留検出して所定個数の賞球払出し後に当該セーフ球を解放通出するようになっている。なお、図２中の符号において、２１は電源部(ＡＣ２４Ｖ)に接続される外部接続端子板であり、２２はゲーム内容を制御する主基板、２３はセーフ球処理装置と貯留球排出処理(賞球払出しと貸し球払出し)を制御する電気的制御部としての球払出し制御基板、２４は球払出し装置１６と球払出し制御基板２３とを電気的に接続する中継基板、２５は前記カードユニット８と球払出し制御基板２３とを電気的に接続するインターフェースボードである。
【００１３】
このような本実施形態のパチンコ機は、遊技ホール内の通称「島」と呼ばれる設置枠台(図示しない)の各区画枠内に前記カードユニット８と共に設置されて縦向きで遊技に共され、このもとで、補給設備(図示しない)における配給ユニットから必要時に供給される相当量のパチンコ球を前記貯留球供給部の球タンク１３内に受入れて整流樋１４に収容している。そして後述の払出し装置１６を利用して、パチンコゲーム中に発生したセーフ球が前記セーフ球検出処理装置２０により１球ずつ停留検出される毎に所定個数(本実施形態では例として少数個５〜９個、多数個１０〜１５個)の賞球を払出し得る。また球貸しシステムでは、前記カードユニット８のカード挿入口２６にカードが挿入されて上球皿５の上部前面に設けられた球貸し操作部２７が操作されると、図示しないカードリーダの球貸し判読制御条件に従い、貯留球検出用スイッチ１９の球有り検出条件において前記カードの有効金額内における一定額単位に対して所定個数(本実施形態では１００円分に対して２５個)の貸し球を払出し得る。
【００１４】
そこで本実施形態における前記球払出し装置１６は、前記球払出し制御基板２３からの出力信号により制御作動されるもとで、同基板２３から賞球払出し指令信号または貸し球払出し指令信号が出力されると、これらの各信号に応じて入賞成立に対する賞球と遊技用の貸し球とを区分排出し得る。そして、この球払出し装置１６では、その基本的な構成として図３〜図８に示すように、四角箱状にユニット化された合成樹脂製のケース体２８内において、前記球供給路１５の一部をなす第１球供給路(第１球通路)１５ａと第２球供給路(第２球通路)１５ｂとを前後方向(図３において紙面と直交する方向)において区画形成すると共に、各球供給路１５ａ,１５ｂに臨む部位に賞球払出し用の第１球払出し部３２と貸し球払出し用の第２球払出し部３３および後述する球抜き操作部３４等を備えている。
【００１５】
このような球払出し装置１６において、前記ケース体２８は、図３,図４,図５および図８に示すように、前後一対をなす蓋状の第１ケース２８ａと有底箱状の第２ケース２８ｂとをビス等で組合せると共に、これら両ケース２８ａ,２８ｂ間に断面略Ｈ形をなす合成樹脂製の通路樋２９が組付けられている。そしてこの通路樋２９に形成された前記第１・第２球供給路１５ａ,１５ｂと対応する右側中央部位には夫々第１・第２切欠３５,３６が形成され、第１球供給路１５ａ側の第１切欠３５の近傍には後述する賞球用センサ(検出手段)３７(発光側)を備えた第１センサ基板３８が設置される一方、第２球供給路１５ｂ側の第２切欠３６の近傍には検出手段としての後述する貸し球用センサ３９(発光側)を備えた第２センサ基板４０が設置されている。
【００１６】
また、前記通路樋２９おける各球供給路１５ａ,１５ｂと対応する左側部位には払出し駆動基板４１が装備され、同基板４１には発光側の各センサ３７,３９と対応する位置に受光側の各センサ３７,３９が装備されると共に、前記球払出し制御基板２３等と図示しない配線を介して接続されるコネクタ４２が装備されている。そして前記各センサは、夫々発光側と受光側の各先端部が対応する球供給路１５ａ,１５ｂ内に臨むように通路樋２９の壁部に形成された検出孔４３に挿通されている。なお、図８中の符号として４４は配線挿入用溝であり、４５はコネクタ４２への接続時に配線が挿通される開口、４６はケース体２８外の球供給路１５と第１球供給路１５ａとを連絡する第２連絡口、４７は前記球供給路１５と第２球供給路１５ｂとを連絡する第２連絡口、４８は後述する球抜き操作部３４を通常状態に保持するためのストッパーである。
【００１７】
前記球払出し装置１６における第１球払出し部３２は、ケース体２８における前側(図３において奥側、図４において上側)に組込まれ、前記球送り整列部１８から前後２列に形成された一対の球供給路１５のうち前側の球供給路１５Ａからの貯留球を１個ずつ通入検出するもので、賞球用の球払出し部として機能する。この第１球払出し部３２は、図３〜図７に例示するように、ケース体２８の略中央部において第１・第２ケース２８ａ,２８ｂ間に架設された第１支軸４９に対し回転可能に支持された爪車状の第１球送り体５０と、第１球送り体５０の回転・停止規制をなす第１規制部材５１の切換作動源である第１電磁ソレノイド５２と、第１球供給路１５ａ内の貯留球の有無を検出する上センサ３７ａと下センサ３７ｂとからなる賞球用センサ３７とを備えている。
【００１８】
前記第１球送り体５０は、ポリアセタール等の比較的硬質の合成樹脂からなり、この第１球送り体５０では、外周に形成した複数(本実施例では１０箇所)の区画爪部５３により区画された各球受け部５４を前記通路樋２９の第１切欠３５から第１球供給路１５ａ内に臨ませ、その球受け部５４により第１球供給路１５ａ内を流下する貯留球を1個ずつ球圧を受けながら回転して当該貯留球を賞球として排出し得るようになっている。また前記電磁ソレノイド５２は、例としてフラッパータイプのもので、球払出し制御基板２３からの賞球払出し信号に基き作動制御されて、励磁信号に伴い磁力発生部５５で磁力を発生し得る一方、そのフレーム枠５６には前記第１規制部材５１が傾動可能に支持されている。
【００１９】
また前記第１規制部材５１は金属製レバー状のものが例とされ、電源投入時の作動状態において、常には付勢手段としての引張バネ５７により前記第１球送り体５０の区画爪部５３と係止する方向へ付勢保持されて、第１球送り体５０の回転停止(拘束位置)を図るようになっている。一方、前記電磁ソレノイド５２の励磁作動に伴い磁力発生部５５が通電されると、その磁力により前記引張バネ５７の付勢力に抗して区画爪部５３から隔離(解放位置)して第１球送り体５０の回転を許容(解放)するようになっている。また前記賞球用センサ３７は、上下一対のセンサ３７ａ,３７ｂを有し、上下各センサ３７ａ,３７ｂは互いに１球分に適した検出間隔で配置されて第１球供給路１５ａ内に臨み、左右一対の上センサ３７ａにより賞球として払出し可能な貯留球の有無を検出する一方、左右一対の下センサ３７ｂにより賞球として払出された貯留球の有無を検出(カウント検出)するようになっている。そして前記賞球用センサ３７は、排出された貯留球を下センサ３７ｂにより１球ずつ検出する毎に、当該検出信号を中継基板２４を介して球払出し制御基板２３へ出力するようになっている。
【００２０】
一方、前記球払出し装置１６における第２球払出し部３３は、ケース体２８における後側(図３において手前側、図４において下側)に組込まれ、前記球送り整列部１８から前後２列に形成された一対の球供給路１５のうち後側の球供給路１５Ｂからの貯留球を１個ずつ検出するもので、貸し球用の球払出し部として機能する。この第２球払出し部３３は、図３〜図７に例示するように、前記第１球送り体５０と同様に前記第１支軸４９を共通軸として回転可能に支持された爪車状の第２球送り体５８と、第２球送り体５８の回転・停止規制をなす第２規制部材５９の切換作動源である第２電磁ソレノイド６０と、前記第２球送り体５８の下流側において第２球供給路１５ｂ内の貯留球の有無を検出する貸し球用センサ３９とを備えている。
【００２１】
更に前記第２球払出し部３３では、図９および図１０に例示するように、前記第１支軸４９に対して第２球送り体５８と一体回転するように第１歯車６１(歯数１０)と、回転規制手段としての第１カム(回転規制手段)６２が支持されている。これら第２球送り体５８と第１歯車６１および第１カム６２の三者は、一体回転可能に一体結合された構成でも、または三者が一体成形された構成であってもよい。また前記第１支軸４９よりも上方位置において第１・第２ケース２８ａ,２８ｂ間には第２支軸６３が架設され、この第２支軸６３に対して前記第１歯車６１に噛合して連動回転する連動部材としての第２歯車６４(歯数２５)が回転可能に支持されている。また前記第２支軸６３に対しては、前記第２規制部材５９の傾動範囲内に位置するようにして第２歯車６４と一体に回転する回転規制部材としての第２カム６５が回転可能に支持されると共に、前記第２歯車６４よりも後側(図３において手前側、図４において下側)には前記第２球送り体５８の上方に位置するようにバランス用のウエイト６６を有する回転制動部材６７が回転可能に支持されている。
【００２２】
このような第２球払出し部３３において、前記第２球送り体５８は第１球送り体５０と略同じ構成をなし、複数(本実施例では１０箇所)の区画爪部６８により区画された各球受け部６９を前記通路樋２９の第２切欠３６から第２球供給路１５ｂ内に臨ませ、その球受け部６９により第２球供給路１５ｂ内を流下する貯留球を１個ずつ球圧を受けながら回転して当該貯留球を貸し球として排出し得るようになっている。また前記電磁ソレノイド６０は、例としてフラッパータイプのもので、球払出し制御基板２３からの貸し球払出し指令信号に基き作動制御されて、励磁信号に伴い磁力発生部７０で磁力を発生し得る一方、その磁力を消磁信号に伴い消失するものであり、そのフレーム枠７１には前記第２規制部材５９が傾動可能に支持されている。
【００２３】
また第２規制部材５９は、前記第１規制部材５１と同様にして金属製レバー状のものが例とされ、電源投入時の作動状態において、常には付勢部材としての引張バネ７２により前記第１・第２の両カム６２,６５と係合する係合する方向(拘束位置)へ付勢保持されている。前記第１カム６２の外周カム面には前記第２規制部材５９の先端を係止可能な２つの係止部７３が互いに１８０度の角度をおいて形成され、いずれか一方の係止部７３に係止する位置(拘束位置)へ第２規制部材５９を前記引張バネ７２の付勢力により復帰させることにより第２球送り体５８の回転停止(拘束位置)を図り、前記第２規制部材５９の先端を各係止部７３から離隔(解放位置)させることにより、第２球送り体５８の回転を許容するようになっている。一方、前記第２カム６５の外周カム面には前記第２規制部材５９と当接係合して同規制部材５９を前記第１カム６２から離隔した位置(解放位置)に干渉拘束するための一定半径をもつ拘束円弧縁７４が一例として約２７０度の角度範囲に亘り形成されると共に、前記ソレノイド６０の消磁後において前記拘束位置へ付勢復帰しようとする前記第２規制部材５９に干渉せず同規制部材５９と前記係止部７３との係止を許容するための直線切欠７５が一例として約９０度の角度範囲に亘り形成されている。
【００２４】
また前記貸し球用センサ３９は、第２球送り体５８の回転に伴って貸し球として払出された貯留球の有無を検出するものであり、本実施形態においては、貯留球が一例として２球分排出されたことをカウント検出した時点で、その検出信号を中継基盤２４等を介して球払出し制御基板２３へ出力するようになっている。また前記回転制動部材６７は、前記第２支軸６３に対して略Ｕ字形の支持凹部７６を介して着脱および回転可能に支持され、その先端部には前記第２球送り体５８の区画爪部６８に係脱し得る係合凸部７７が形成されている。従って、この回転制動部材６７は、ウエイト６６の重みにより常には図３において反時計方向へ適正に回転付勢された状態で、その係合凸部７７が第２球送り体５８の区画爪部６８および球受け部６９に対して当接係合し得る構成になっている。
【００２５】
また前記球抜き操作部３４は、第１・第２球供給路１５ａ,１５ｂ内から貯留球を排出操作するためのものであり、この球抜き操作部３４では、適度の弾性変形可能な合成樹脂製の操作レバー７８が、前記第１支軸４９に対し第１球送り体５０と第１カム６２との間に位置するようにして回動可能に支持されている。この操作レバー７８は、常には前記ストッパー４８に係止保持される構成とされ、操作時にはレバー７８自体の適当な弾性変形により前記ストッパー４８を乗り越え、図３において時計方向へ回動し得るようになっている。また前記操作レバー７８にはそのボス部から第１操作部７８ａと第２操作部７８ｂが分岐形成され、手動により操作レバー７８を回動操作したときには前記各操作部７８ａ,７８ｂが夫々対応する前記規制部材５１,５９に当接係合し得るようになっている。従って、前記各ソレノイド５２,６０の消磁状態において操作レバー７８が回動操作されると、第１操作部７８ａが第１規制部材５１を押動して第１球送り体５０の区画爪部５３から離隔させると共に、第２操作部７８ｂが第２規制部材５９を第１カム６２の係止部７３から離隔させるので、各球送り体５０,５８は回転可能(フリー状態)とされたもとで貯留球の球圧を受けて連続回転し、多数の貯留球を連続排出することになる。
【００２６】
ここで、本実施形態のパチンコ機における電気的構成を説明すると、図２３に示すように、主基板２２には、遊技盤３側の各種スイッチ８０と各種ソレノイド８１および各種球検出スイッチ８２が接続されて、ゲームおよび賞球排出に係る制御処理がなされる。また球払出し制御基板２３には、カードユニット８および球貸し操作基板２７ａが接続されたインターフェースボード２５と貯留球検出用スイッチ１９(２５個確認スイッチ)が接続されて、球貸しシステムの作動処理がなされる。また、球払出し制御基板２３の出力側には発射制御装置８３が接続され、発射停止信号の出力に基き同装置８３内の各種電気部品８４と発射・球送りソレノイド８５および発射停止ランプ８６の作動制御がなされる。更に、球払出し制御基板２３には中継基板２４および払出し駆動基板４１が接続されて、賞球払出しおよび貸し球払出しの各制御処理がなされる一方、各払出しに際して機裏側で点滅または点灯制御される賞球ランプ８７と球貸しランプ８８が接続されている。そして賞球情報信号および球貸し情報信号は、外部接続端子板２１(ターミナル基板とも云う)を介して図示しない外部コンピュータ等へ出力されるようになっている。
【００２７】
【実施例の作用】
次に、本実施形態に係るパチンコ遊技機における球払出し装置の作用について説明する。さて本実施形態のパチンコ機では、カードユニット８のカード挿入口２６に対するカードの挿入および機裏側での球貸し操作部２７のボタン操作により、機表側の球払出し装置１６の第２球払出し部３３から払出された所定個数(１００円分に対して２５個)の貸し球が上球皿５へ供給される。このもとで打球発射装置７の作動に基いて遊技球を１球ずつ遊技盤３内へ打出すことにより所要のゲームを展開し得る。そしてゲーム中に発生したアウト球は、機構セット盤９の排出路１１から機外へ排出され、またセーフ球については処理路１２からセーフ球検出処理装置２０内に導入され、同装置２０内で１球ずつ停留検出されて賞球払出しにタイミングを合わせた時期に機外へ排出される。そして、前記球払出し装置１６においては、セーフ球に対して後述するように第１球払出し部３２から所定個数(少数個、多数個を含む)の賞球が上記上球皿５または下球皿６へ排出される。一方、球貸し操作に基いて後述するように第２球払出し部３３から所定数の貸し球が払出される。そして必要時には、球抜き操作部３４を利用して、各球供給路１５ａ,１５ｂ内の貯留球を第１・第２球払出し部３２,３３の解放条件のもとで速やかに排出し得る。
【００２８】
このような本実施形態のパチンコ機に装備された球払出し装置１６では、前記セーフ球検出処理装置２０からのセーフ球信号に基づき主基板２２からの制御指令を介して球払出し制御基板２３から賞球払出し信号が出力されると、次のような賞球払出し処理をなし得る。即ち、賞球払出し用の第１球払出し部３２では、図１２に示すように、まず上センサ３７ａが球有り検出をしているもとで、第１電磁ソレノイド５２が励磁されることに伴い励磁力発生部５５に磁力が発生するため、第１規制部材５１が吸引されて同図に二点鎖線で示されるように、引張バネ５７の付勢力に抗して第１球送り体５０の区画爪部５３から離隔して解放位置へ変移する。すると第１球送り体５０は、図１３に示すように、球受け部５４により前記上センサ３７ａで球有り検出された貯留球を含む上流側の球の圧力(重み)を受けながら回転(１球分で３６度)し、当該貯留球を下流側へ排出する。すると、この排出された１個の貯留球が下センサ３７ｂにより球有り検出され、この下センサ３７ｂの球有り検出に基づく検出信号が前記球払出し制御基板２３へ出力されることに伴い、前記電磁ソレノイド５２が消磁される。そのため、励磁力発生部５５から解放された第１規制部材５１が第１球送り体５０と係合する方向へ付勢復帰して前記区画爪部５３に再び係止し、これにより第１球送り体５０の回転が停止される。以降同様にして上センサ３７ａの球有り検出に伴うソレノイド５２の励磁制御と、下センサ３７ｂの球有り検出(カウント検出)に伴うソレノイド５２の消磁制御とが賞球払出し分に対する設定回数繰返されることにより、所定数(少数個と多数個)の賞球が前記ソレノイド５２の１球毎の励・消磁制御に従い排出される。
【００２９】
一方、前記球貸し操作において、カードユニット８側からの貸し球払出し指令を介して球払出し制御基板２３から球払出し信号が出力されると、球払出し装置１６では貸し球用の第２球払出し部３３が次のような貸し球払出し処理(例として２５個払出し)をなし得る。即ち、第２球払出し部３３では、まず第２電磁ソレノイド６０が励磁されることに伴い励磁力発生部７０に磁力が発生するため、第２規制部材５９が吸引されて引張バネ７２の付勢力に抗して第１カム６２の係止部７３から離隔して解放位置へ変移する(図１４〜図１６参照)。すると、第２球送り体５８は球受け部６９により貯留球の球圧を受けながら回転(１球分で３６度)して各球受け部６９に受けた貯留球を連続して下流側へ排出する。すると、この連続排出された貯留球が貸し球用センサ３９により1球ずつカウント検出され、この貸し球用センサ３９による２個目の球有り検出(カウント検出)に基き当該検出信号が前記球払出し制御基板２３へ出力される。すると、球払出し制御基板２３では、前記貸し球用センサ３９からの２個目の検出信号を受けて払出し駆動基板４１へ消磁信号(消電)を出力し、これによりソレノイド６０が消磁されることに伴い第２規制部材５９が第１カム６２と係合する方向、つまり拘束位置へ付勢復帰しようとする。
【００３０】
ところが第２球払出し部では、前記第２球送り体５８の連続回転に伴い第１歯車６１と第２歯車６４の噛合作動により、図１７に示すように、第２カム６５が時計方向へ所定角度だけ回転している。そのため、付勢復帰しようとする第２規制部材５９は第２カム６５の拘束円弧縁７４に当接係合して一時的に干渉拘束される。従って第２球払出し部３３では、前記ソレノイド６０の消磁後においても第２球送り体５８の回転状態が許容され、貸し球としての貯留球の連続排出が続けられる。ここで前記両カム６２,６５の相対的な回転関係についてみると、前記第１・第２歯車６１,６４は互いの歯数比が１０対２５に設定されている例において、第２カム６５が第２歯車６４と共に１回転(３６０度)すると、その間に第１カム６２は第１歯車６１および第２球送り体５８と共に、２.５回転(９００度)することになる。因みに、図１６の状態を第１カム６２と第２カム６５の回転角度が共に０度であるとした場合、貸し球として２個の貯留球を排出した図１７の状態では、第１カム６２の回転角度は２球分の７２度であり、一方、第２カム６５の回転角度は７２度／２.５の２８.８度となる。
【００３１】
このような状態において、更に第２球送り体５８が回転して予め設定された２５個の貸し球払出し予定に対し２４個目の貯留球が排出された時点になると、図１８に示すように、第２規制部材５９は第２カム６５の拘束円弧縁７４から直線切欠７５へ当接係合箇所を移行する。因みに、図１８の状態では、第１カム６２の回転角度は８６４度であり、一方、第２カム６５の回転角度は３４５.６度である。この場合における第１カム６２と第２カム６５および第２規制部材５９との相対位置関係を拡大して示したのが図１９であり、同図からも明らかなように、第２カム６５における拘束円弧縁７４と直線切欠７５との境界部位はアール状になっているため、第２規制部材５９は滑らかに前記境界部位と摺接する。そして図１８および図１９の状態から更に回転が進行すると、第２規制部材５９の付勢復帰力(引張バネ５７の付勢力)が第２カム６５の時計方向への回転運動に対して同方向へのモーメント(押圧力)として働くことになり、これにより最後(２５個)の貯留球が貸し球として排出され、貸し球払出しが終了する。この時点では、第１カム６２の係合部７３に第２規制部材５９の先端が係合して第２球送り体５８を回転停止している。これにより第２球供給路１５ｂ内の貯留球が少なかった場合、例えば２５個,２６個であっても払出し終了間際における球圧不足に拘らず、前述のモーメント作用により安定した正確な払出しが遂行される。
【００３２】
そして前述の球払出しにおいて、前記第２規制部材５９が第１カム６２の係止部７３から離隔した時点(解放時点)から第２球送り体５８は回転が許容されるわけであるが、その回転スピードに対して適度な制動を付与すべく前記回転制動部材６７が好適に機能する。即ち回転制動部材６７は、図２０に示すように、ウエイト６６の重みに基き係合凸部７７が第２球送り体５８の球受け部６９に軽く圧接係合している。そして第２球送り体５８が反時計方向へ回転し始めると、前記係合凸部７７は球受け部６９に対して適度な摩擦抵抗を付与しつつ区画爪部６８を乗り越えて次の球受け部６９へ係合箇所を移動し、以下同様にして第２球送り体５８の回転中には常に同球送り体５８の回転スピードに制動を付与することができる。これにより、第２球供給経路１５,１５ｂ側における貸し球分の球圧が大きい場合(球量が多い場合)にあっても、第２球送り体５８は安定した払出し回転を維持して、回転のオーバーランや騒音を出すことなく好適な払出しを遂行し得る。
【００３３】
以上のように構成された本実施形態の球払出し装置１６によれば、第２規制部材５９が第２球送り体５８の回転停止を図る拘束位置に付勢復帰して回転規制手段としての第１カム６２の係止部７３と係止するタイミングにより、貸し球払出し制動作動を終了するようにしたので、従来のように設定排出個数のカウント検出タイミングとソレノイド６０の消磁タイミングとを一致させる必要がなくなり、制御構成を簡単なものにすることができる。
【００３４】
また、電磁ソレノイド６０の励磁作動により第２規制部材５９を第１カム６２の係止部７３から離隔させた後は、予め設定された回転数だけ第２球送り体５８等が回転して再び第２規制部材５９が前記係止部７３と係止することにより回転停止を図る構成としたので、従来のように設定排出個数分の貯留球を１球ずつカウント検出するためセンサを不要にできると共に、そのカウント検出制御も省略し得、装置全体の構成を簡素化してコスト低減を図ることも可能である。すなわち設定払出し個数が多い場合でも、ソレノイド６０の１球毎の励磁・消磁制御を不要にして簡単なソレノイド制御とし得、装置の老朽化を防止し得る。
【００３５】
また、貸し球払出し個数が第２球送り体５８の１回転当り排出個数(１０個)よりも多数個(２５個)に設定された場合であっても、回転規制手段としての第１カム６２と第２規制部材５９との離隔タイミングから係止タイミングまでの両者間の相対関係を調整することにより、少ない球受け部６９しかない小型の球送り体５８を適宜に複数回(本実施形態では２.５回転)回転させれば多数個の貸し球払出し要求にも対応することができ、球受け部を多数備えた大型の球送り体を用いる必要がないので、装置全体の小型化に貢献することができる。また、将来的な払出し設定個数の変更要求(例えば１００円分に対して２４個,２２個,２０個)にも柔軟に対応することができる。
【００３６】
更に、貸し球払出し用の第２球送り体５８として小型のものを使用できることから、同球送り体５８を備えた貸し球払出し用の第２球払出し部３３を賞球払出し用の第１球払出し部３２と共に限られた小スペースしかない機構セット盤９に併設することが可能とされ、機構セット盤９における大幅な使用変更等も不要にでき、パチンコ機全体の製造コストが上昇するおそれもなくすことができる。しかも、第１球払出し部３２による賞球払出し作動と、第２球払出し部３３による貸し球払出し作動が別々に行なわれるので、貯留球を遊技用の貸し球分とゲーム入賞用の賞球分とに明確に区分排出され、双方の球払出しに係る無用な混同,誤認を未然に回避し得ると共に円滑な球払出しを遂行し得る。
【００３７】
そして本実施形態の球払出し装置１６においては、図２１および図２２に示す球抜き操作部３４を利用して貯留球を必要に応じて手早く簡単に抜出し得る。すなわち、前枠２側を開放して機構セット盤９の裏側を表側に向けた状態のもとで、係員が球抜き操作部３４の操作レバー７８を図２１に示す位置から下方へ指先操作(手動操作)で押下げることにより、同操作レバー７８が第１支軸４９を基準として図中時計方向へ回動して図２２に示す状態(ストッパー４８を乗越えて係合した位置)に保持され、操作部７８ａで第１規制部材５１を、また操作部７８ｂで第２規制部材５９を夫々押動する。この結果図２２に示すように、第１,第２規制部材５１,５９が、当該の球送り体５０,５８から離隔して解放するため、第１,第２球送り体５０,５８がフリー状態とされて各々の球供給路１５ａ,１５ｂ内の貯留球の圧力を受けて回転しながら貯留球を排出(抜出す)する。これにより、貯留球供給部内の貯留球を抜出すことが可能となり、本実施形態では、上球皿５および下球皿６へ一旦排出した後、機外へ排出される。このような球抜き操作部３４を利用した球抜きの例によれば、球供給路１５の途中に別の球抜き機構(図示しない)が付設された形態において、球供給路１５の下端部および球払出し装置１６の球供給路１５ａ,１５ｂ内に残存する僅かな貯留球を抜出す場合にも勿論好適に利用できる。従って、球払出し装置１６自体の着脱交換時等にあっては、前述した残存貯留球の楽な抜出しができるものである。
【００３８】
【変更例】
なお前記実施形態における球払出し装置１６は、次のように構成を変更してもよい。例えば前記実施形態では、第１・第１球払出し部３２,３３における夫々の規制部材５１,５９を当該の電磁ソレノイド５２,６０のフレーム枠５６,７１に対し基端部側面を当接係合させることにより傾動可能に支持したが(図１０参照)、これを図１１に示すように夫々規制部材５１,５９の基端部に軸８９を設け、この軸８９を当該のフレーム枠５６,７１に形成された軸孔９０に対して挿入支持するようにしてもよい。
【００３９】
また前記実施形態では、第１支軸４９に第１カム６２を第２球送り体５８および第１歯車６１と一体回転するように設けたが、これを図２４に示すように、第２支軸６３に対してカタツムリ形状の第１カム６２を第２歯車６４と共に一体回転するように設けてもよい。この場合には、ソレノイド６０の励磁作動に伴い第２規制部材５９の先端が係止部７３から離隔解放した後、ソレノイド６０の消磁作動に伴い付勢復帰しようとする第２規制部材５９は、前記第１カム６２の円弧部６２ａに係合して摺接し、当該第１カム６２が１回転し終わったところで再び係止部７３に係合して第２球送り体５８の回転を停止させる。従って、この変更例の場合には、第２カム６５を不要にできるので構成を簡素化することができる。
【００４０】
また前記実施形態では、第１球払出し部３２と第２球払出し部３３とを前後方向に重ねて並設したが、これを図２５および図２６に示すように、左右組合せ状に配置してもよい。この場合には、第１球払出し部３２の第１球送り体５０は、新たに設けた軸７９により支持される。これによれば、機構セット盤９における他の球経路等との関係で、このように第１球払出し部３２と第２球払出し部３３の配置の変更を余儀なくされる場合に対処できる。また図２７に示すように、第１球払出し部３２と第２球払出し部３３を、夫々別々のケース体２８に独立収容して前後に組合せるようにしてもよい。この場合にも第１球払出し部３２の第１球送り体５０は、新たに設けた軸７９により支持される。
【００４１】
更に前記実施形態では、球払出し装置１６を、ケース単位にユニット化して機構セット盤９に対して着脱可能な構成としたが、機構セット盤９に一体形成したケース体２８内に第１・第２球払出し部３２,３３を組込むようにしてもよい。また前記実施形態では、第１・第２歯車６１,６４の噛合連動により第１カム６２と第２カム６５との回転数に差を設けるようにしたが、径の異なるプーリ間にチェーン(ベルト)を巻き掛けて回転数に差を設けると共に、係合部を設けるようにしてもよい。
【００４２】
なお、特許第２５１０７３５号，特許第２５１０７４３号，特公平５−５５１５号，特公平７−１０００８１号，特公平７−１０２２４７号，特公平７−１０２２４８号，特公平７−１１２５０７号，特公平７−１１２５０９号および特開平５−９６０５１号に開示される技術を、本実施例に係る払出し装置１６に好適に採用できる。
【００４３】
【発明の効果】
以上説明した如く、本発明に係るパチンコ遊技機における球払出し装置によれば、貯留球供給部からの貯留球を賞球分と貸し球分とに夫々整列状に流下し得る第１供給経路と第２供給経路とを併設して、該第１供給経路に球送り体を臨ませた第１球払出し部を配設すると共に、前記第２供給経路に球送り体を臨ませた第２球払出し部を配設し、第１球払出し部を賞球用の球払出し信号に基いて単独で作動させ、第２球払出し部を貸し球用の球払出し信号に基いて単独で作動させるよう構成した球払出し装置を配設した。従って、貯留球を遊技用の貸し球分とゲーム入賞用の賞球分とに明確に区分排出されるので、双方の球払出しに係る無用な混同,誤認を未然に回避すると共に、円滑な球払出しを遂行し得る利点がある。そして、第１球払出し部と第２球払出し部とは１つのケース体内に配設されて、小型化されたケース体単位で遊技機裏側の第１および第２供給経路に対する連絡部位に着脱可能に設置されるので、その取扱いが簡単かつ容易であると共に安価に製作し得る。
【００４４】
そして本発明のパチンコ遊技機における球払出し装置では、球払出し装置における第２球払出し部の第２球送り体が、第２電磁ソレノイドの励磁作動によって第２規制部材の規制を解除させた後、予め設定された回転数だけ回転するまでは回転規制部材により第２規制部材を規制解除の位置に拘束し、予め設定された回転数だけ回転した時点で再び該第２規制部材で規制して回転停止を図る構成としたので、従来のように設定排出個数分の貯留球を１球ずつカウント検出するためセンサを不要にできると共に、そのカウント検出制御も省略し得、装置全体の構成を簡素化してコスト低減を図ることも可能である。すなわち設定払出し個数が多い場合でも、第２電磁ソレノイドの１球毎の励磁・消磁制御を不要にして簡単なソレノイド制御とし得、装置の老朽化を防止し得る。更に、第２球払出し部第２の球送り体として小型のものを使用できることから、同球送り体を備えた貸し球払出し用の第２球払出し部を賞球払出し用の第１球払出し部と共に限られた小スペースしかない機構セット盤に併設することが可能とされ、機構セット盤における大幅な使用変更等も不要にでき、パチンコ機全体の製造コストが上昇するおそれもなくすことができる等の有益な効果を奏する。
また、回転制動部材により第２球送り体の回転中には常に同球送り体５８の回転スピードに制動を付与することができるから、第２球送り体は安定した払出し回転を維持して、回転のオーバーランや騒音を出すことなく好適な払出しを遂行し得る。
【図面の簡単な説明】
【図１】本発明の一実施形態に係るカードユニットを併設したパチンコ機を略示する正面図である。
【図２】同じくカードユニットを併設したパチンコ機を略示する背面図である。
【図３】本実施形態における球払出し装置の一部破断正面図である。
【図４】図３のIV−IV線における平断面図である。
【図５】図３のＶ−Ｖ線における平断面図である。
【図６】図３のVI−VI線における縦断面図である。
【図７】図３のVII−VII線における縦断面図である。
【図８】球払出し装置のケース体等を分解状態で示す斜視図である。
【図９】第１球払出し部と第２球払出し部を一部破断した分解斜視説明図である。
【図１０】第１球払出し部と第２球払出し部の配置関係を示す斜視図である。
【図１１】第１・第２球払出し部における第１・第２規制部材の別例を示す斜視図である。
【図１２】第１球払出し部の球送り体の回転停止状態を示す説明図である。
【図１３】第１球払出し部の球送り体の回転許容(球送り)状態を示す説明図である。
【図１４】第２球払出し部の球送り体の回転停止状態を示す説明図である。
【図１５】第２球払出し部の球送り体の回転開始直後(球送り)状態を示す説明図である。
【図１６】第２球払出し部の払出し前(球送り体の停止)状態を示す説明図である。
【図１７】第２球払出し部の払出し途中(球送り体の回転)状態を示す説明図である。
【図１８】第２球払出し部の払出し終了直前(球送り体の回転)状態を示す説明図である。
【図１９】図１８における要部を拡大した説明図である。
【図２０】第２球払出し部における回転制動部材の作用説明図である。
【図２１】球払出し装置における球抜き操作前状態の説明図である。
【図２２】同じく、球払出し装置における球抜き操作後状態の説明図である。
【図２３】パチンコ機の主として払出しに係る電気的構成を略示するブロック図である。
【図２４】第２球払出し部における回転規制手段の別例を示す説明図である。
【図２５】球払出し装置の別例を示す縦断面図である。
【図２６】図２５におけるＸ−Ｘ線における平断面図である。
【図２７】球払出し装置の他の別例を示す縦断面図である。
【符号の説明】
１３  球タンク(貯留球供給部)
１５Ａ  第１供給経路
１５Ｂ  第２供給経路
１５ａ  第１球供給路(第１球通路)
１５ｂ  第２球供給路(第２球通路)
２８  ケース体
３２  第１球払出し部
３３  第２球払出し部
３７ｂ  下センサ(第１検出手段)
３９  貸し球用センサ(第２検出手段)
４９  支軸
５０  第１球送り体
５１  第１規制部材
５２  第１電磁ソレノイド
５４  球受け部
５８  第２球送り体
５９  第２規制部材
６０  第２電磁ソレノイド
６２  第１カム(回転規制手段)
６５  回転規制部材
６９  球受け部
７４  拘束円弧縁
７５  直線切欠
【図１】
0004019206.tif 000002
【図２】
0004019206.tif 000003
【図３】
0004019206.tif 000004
【図４】
0004019206.tif 000005
【図５】
0004019206.tif 000006
【図６】
0004019206.tif 000007
【図７】
0004019206.tif 000008
【図８】
0004019206.tif 000009
【図９】
0004019206.tif 000010
【図１０】
0004019206.tif 000011
【図１１】
0004019206.tif 000012
【図１２】
0004019206.tif 000013
【図１３】
0004019206.tif 000014
【図１４】
0004019206.tif 000015
【図１５】
0004019206.tif 000016
【図１６】
0004019206.tif 000017
【図１７】
0004019206.tif 000018
【図１８】
0004019206.tif 000019
【図１９】
0004019206.tif 000020
【図２０】
0004019206.tif 000021
【図２１】
0004019206.tif 000022
【図２２】
0004019206.tif 000023
【図２３】
0004019206.tif 000024
【図２４】
0004019206.tif 000025
【図２５】
0004019206.tif 000026
【図２６】
0004019206.tif 000027
【図２７】
0004019206.tif 000028